(57)【要約】【課題】スタッドボルトからの離脱に対する保持力の強いボルト用クリップを提供する。【解決手段】ボルト用クリップ１０の筒部５０には、内面側にスタッドボルトの軸部２に突き当てられて係止する一対の係止爪５５，５５が形成されるとともに、この係止爪５５，５５が上端部に形成された撓み片５３の上端部を基端部６０Ａとして、ここから筒部５０の下端部５０Ａをやや超える位置まで斜め下側に向けて延出されてなる一対の支持片６０，６０を有する。【選択図】図６
2010138966.tif 000002
【特許請求の範囲】
【請求項１】
被取付部材から突出するスタッドボルトの軸部が挿入される筒部を有するとともに、前記筒部の内周面には、前記軸部の外周に弾性的に係止する複数の係止爪が突設され、前記軸部に前記係止爪が係止されることにより前記スタッドボルトから離脱しないように保持されるボルト用クリップであって、
前記筒部の外周面には、前記係止爪と軸方向に沿った位置に、前記筒部のうち前記被取付部材側の端部に先立って前記被取付部材に当接する支持片が形成されているボルト用クリップ。
【請求項２】
前記筒部は、一対のスリット状の切欠部を設けることにより形成される撓み片を有し、この撓み片の内面側に前記係止爪が形成されるとともに、前記撓み片の外面側から前記支持片が延出されていることを特徴とする請求項１記載のボルト用クリップ。
【請求項３】
前記支持片は、前記筒部のうち前記被取付部材側の端部を超えて延出されていることを特徴とする請求項１又は請求項２記載のボルト用クリップ。
【請求項４】
前記支持片の基端部は、前記係止爪の近傍に形成されていることを特徴とする請求項１ないし請求項３のいずれか一項に記載のボルト用クリップ。
【発明の詳細な説明】
【技術分野】
【０００１】
本発明は、ボルト用クリップに関する。
【背景技術】
【０００２】
車両等に配索されるワイヤハーネスとしては、例えば、円筒部とバンド部とを有するボルト用クリップのバンド部に電線束を結束させるとともに、車両等のパネルから突出したスタッドボルトの軸部がボルト用クリップの円筒部に嵌挿されるようになっているものがある。
【０００３】
そして、この円筒部の内周面からは複数の係止爪が突設しており、この係止爪がスタッドボルトの軸部外周面に螺旋状に形成されたネジ溝部分に突き当てられて係止される構成となっている。
【特許文献１】特開平９−８９１６５号公報
【発明の開示】
【発明が解決しようとする課題】
【０００４】
ところで、上記したように、複数の係止爪はネジ溝部分に突き当てられるため、薄肉の部材で構成されている。そのため、その係止爪が軸部外周面に係止する力、言い換えれば、ボルト用クリップがスタッドボルトから容易に離脱しないための保持力が十分とはいい難かった。特に、可撓性を有するバンド部と同一の合成樹脂（ポリプロピレン等）で係止爪が一体に成形されている場合には、係止爪が軸部外周面に対して滑りやすい。このため、さらに係止力が弱くなり、 要求される保持力を満たすことが困難となることが懸念される。 
本発明は上記のような事情に基づいて完成されたものであって、スタッドボルトからの離脱に対する保持力の強いボルト用クリップを提供することを目的とする。
【課題を解決するための手段】
【０００５】
（１）本発明は、被取付部材から突出するスタッドボルトの軸部が挿入される筒部を有するとともに、前記筒部の内周面には、前記軸部の外周に弾性的に係止する複数の係止爪が突設され、前記軸部に前記係止爪が係止されることにより前記スタッドボルトから離脱しないように保持されるボルト用クリップであって、前記筒部の外周面には、前記係止爪と軸方向に沿った位置に、前記筒部のうち前記被取付部材側の端部に先立って前記被取付部材に当接する支持片が形成されているところに特徴を有する。
上記構成によれば、ボルト用クリップの筒部をつかんでスタッドボルトの軸部に挿し込んでいくと、まず支持片が被取付部材に当接する。そして、更に挿し込むと、被取付部材に当接した支持片には、被取付部材からの反力により支持片の基端部側に向けた力が生じているため、筒部のうち支持片と連結された部分について、内側に向けた力が生じることになる。この力は、支持片に対して軸方向に沿うように設けられている係止爪にも及ぶから、係止爪について軸部に係止する力を強くする方向の力が大きくなる。即ち、ボルト用クリップのスタッドボルトからの離脱に対する保持力を強くすることができる。
【０００６】
なお、以下のような構成としてもよい。
（２）前記筒部は、一対のスリット状の切欠部を設けることにより形成される撓み片を有し、この撓み片の内面側に前記係止爪が形成されるとともに、前記撓み片の外面側から前記支持片が延出されている。
撓み片に係止爪が形成されるため、スタッドボルトの軸部が筒部に挿入しやすくなる。また、撓み片から、支持片が延出されるため、支持片からの力を係止爪に及ぼしやすくなる。
【０００７】
（３）前記支持片は、前記筒部のうち前記被取付部材側の端部を超えて延出されている。
一般に平板状の部材を被取付部材とすることが多いが、本構成によれば、このような場合に、ボルト用クリップのスタッドボルトに対する保持力を強くすることができる。
【０００８】
（４）前記支持片の基端部は、前記係止爪の近傍に形成されている。
支持片の基端部は、係止爪の近傍に形成されているため、支持片からの力が係止爪に及びやすくなり、よりボルト用クリップのスタッドボルトに対する保持力を強くすることができる。
【０００９】
（５）前記係止爪は、前記筒部のうち前記被取付部材側の端部から離間した位置に形成される。
【発明の効果】
【００１０】
本発明によれば、スタッドボルトからの離脱に対する保持力が強いボルト用クリップを提供することができる。
【発明を実施するための最良の形態】
【００１１】
＜実施形態１＞
以下、本発明の実施形態を図１〜図８を参照しつつ説明する。ボルト用クリップ１０は、例えば、車両のボディ１から突出するスタッドボルトに取り付けられるものである。以下では、上下方向について図２を基準とし、図２の左方を前方とし、右方を後方として説明する。なお、スタッドボルトは、一般に孔を開けることができない部分について使用されるものであり、本実施形態では、ボディ１の面にスタッドボルトの軸部２が垂直になるように溶接して取り付けられている（図８参照）。
【００１２】
ボルト用クリップ１０は、合成樹脂製（例えば、ポリプロピレン）であって、図１に示すように、電線を結束させるためのバンド部２０と、スタッドボルトに取り付けるヘッド部３０と、を有する。
バンド部２０は、複数の電線を束ねることができる長さであって、ほぼ一定の幅寸法でヘッド部３０に連なっており、その厚みは可撓性を有するために薄肉となっている。その上面には結束する大きさを調節するための多数の係止凸部２１が並んで形成されている。
【００１３】
ヘッド部３０は、作業者が掴むことができる把持部４０と、スタッドボルトの軸部２が挿入される筒状の筒部５０と、を有する。
把持部４０は、筒部５０の一端側に形成される鍔部４１と、バンド部２０と連結される連結部４３と、からなる。
【００１４】
鍔部４１は、筒部５０の上端部に、筒部５０と直交するように覆う形状をなし、略長方形状の開口部４２を有する。この開口部４２のうち、幅方向の略中央部は、円形の筒部５０の形状に対応して、外方側に膨らむように湾曲した形状となっている。
なお、開口部４２から、筒部５０の上部及び後述する係止爪５５が視認でき、スタッドボルトに取り付けられた際には、軸部２の挿入具合がわかるようになっている。
【００１５】
連結部４３は、図２に示すように、鍔部４１及び筒部５０の後方にて鍔部４１及び筒部５０と連続している。具体的には、連結部４３の上面が鍔部４１の上面と連続した平坦な面と、その面から段差状に低くなる面を有し、連結部４３の下端部は、筒部５０のうち上下方向の略中間部に形成されている。
【００１６】
連結部４３には、図１に示すように、電線束を結束したバンド部２０を留めるためバンド留め部４４が形成されている。
バンド留め部４４は、連結部４３を上下方向に貫通するバンド通し孔４５と、バンド通し孔４５に挿入されたバンド部２０に係止して抜け止めするバンド係止片４６と、からなる。
なお、連結部４３に形成されたコ字状の貫通孔のうち、筒部５０側の端部がバンド部２０を挿通するバンド通し孔４５となっており、バンド係止片４６の両側の貫通孔４７は、バンド係止片４６を撓み変形させるために形成されている。
【００１７】
そして、バンド部２０が必要な長さだけバンド通し孔４５に挿通されると、バンド部２０の係止凸部２１がバンド係止片４６に係止されることによりバンド部２０が抜け止めが図られる。
【００１８】
筒部５０は、円筒形状をなし、図６に示すように、この筒部５０を構成する左右両側の壁部５１には、スタッドボルトの軸部２に弾性的に係止するための一対の係止部５２，５２が形成されている。
【００１９】
一対の係止部５２，５２は、筒部５０の壁部５１の対向する位置に形成され、それぞれ筒部５０の内外方向に撓み変形可能に形成された撓み片５３と、スタッドボルトのネジ溝に突き当てられる係止爪５５と、からなる。
撓み片５３は、筒部５０の壁部５１にスリット状の一対の切欠部５４（図２参照）を設けることにより撓み変形可能となっている。なお、鍔部４１と係止部５２，５２との間は、連通孔５６とされており、側方から軸部２の挿入具合を視認することができるようになっている。
【００２０】
係止爪５５は、図６に示すように、撓み片５３の上端部の内面（筒部５０の内周面）に形成され、筒部５０の周方向に所定の幅で設けられ、その先端が軸部２の外周に対応して湾曲している。
【００２１】
また、係止爪５５は、筒部５０のうち上下方向の略中央部（筒部５０のうち被取付部材側の端部から離間した位置）に形成されている。このように係止爪５５の位置を筒部５０の端部５０Ａから離間させることで、撓み片５３を長くすることができ、より撓み片５３が撓みやすくなる。
【００２２】
ここで、スタッドボルトの軸部２の筒部５０への挿入時には、軸部２の外周面に交互に螺旋状に形成された凸部と溝部（ネジ溝）とが交互に係止爪５５に当接することにより撓み片５３を撓み変形させつつ筒部５０にスタッドボルトの軸部２が挿入されていく。そして、筒部５０の端部５０Ａがボディ１の面に当接するまで軸部２が筒部５０に挿入されると、係止爪５５が軸部２の外周の溝部に突き当てられた状態で係止されるようになっている。
ところで、上記したように、係止爪５５の位置を筒部５０の端部５０Ａから離間させることで、撓み片５３が撓みやすくなり、軸部２の挿入という点では、軸部２を挿入しやすくなる利点がある。
【００２３】
しかしながら、係止爪５５が軸部２に係止する力、言い換えれば、ボルト用クリップ１０がスタッドボルトの軸部２を保持する力は、撓み片５３が撓みやすくなる分だけ弱くなる。そこで、本実施形態では、以下に示す一対の支持片６０，６０を設けることにより、ボルト用クリップ１０がスタッドボルトの軸部２を保持する力を確保するようになっている。
【００２４】
筒部５０の外周には、斜め下側に向けて突出する一対の支持片６０，６０が形成されている。
一対の支持片６０，６０は、共に筒部５０の壁部５１にある撓み片５３の上端部を基端部６０Ａとして、ここから筒部５０の下端部５０Ａ（筒部５０のうち被取付部材側の端部）をやや超える位置まで斜め下方向に延出されている（支持片６０の端面６０Ｂが筒部５０の下端部５０Ａよりも下方に形成されている）。
【００２５】
支持片６０の幅（図２の前後方向の寸法）は、係止爪５５の幅とほぼ同じであって、支持片６０の厚みは支持片６０の幅寸法よりも薄肉となっている。
支持片６０の端面６０Ｂは、ボディ１の面に平行となるように、支持片６０の延出方向に対して傾斜している。これにより、ボルト用クリップ１０の取り付けの際には、支持片６０の端面６０Ｂが、ボディ１の面に密着するように突き当てられる。
【００２６】
ここから更に、作業者が軸部２の挿入のために（筒部５０の下端部５０Ａがボディ１の面に当接するまで）筒部５０をボディ１側に押し付けることにより、支持片６０を介して係止爪５５の係止力が付勢されるようになっている。
これにより、軸部２の筒部５０への挿入のし易さ、ボルト用クリップ１０がスタッドボルトの軸部２を保持する力の強化という異なる要求を満たすことができる。
【００２７】
次に、ボルト用クリップ１０のスタッドボルト（及び被取付部材）への取り付けについて詳しく説明する。
作業者は、ボルト用クリップ１０のヘッド部３０を掴み、図６に示すように、車両のボディ１から突出するスタッドボルトの軸部２を筒部５０内に挿入していく。
【００２８】
すると、軸部２外周面に交互に螺旋状に形成された凸部と溝部とが交互に係止爪５５に当接することにより撓み片５３を撓み変形させつつ筒部５０にスタッドボルトの軸部２が挿入されていく。
そして、図７に示すように、支持片６０の端面６０Ｂがボディ１の面に当接する。更に、筒部５０をボディ１側に押し込むと、図８に示すように、筒部５０の下端部５０Ａがボディ１に当接する。このとき、支持片６０の端面６０Ｂとボディ１の面との間の摩擦力により支持片６０の端面６０Ｂはボディ１の面で滑らず、支持片６０は、ボディ１から反力を受けることになる。
【００２９】
そして、この力は、筒部５０のうち、支持片６０と連結されている撓み片５３の上端部に伝わり、撓み片５３の上端部に内側に向かう力を与える。これは、係止爪５５の軸部２に対する係止力を強くする方向の力であるから、ボルト用クリップ１０のスタッドボルトに対する保持力を強くすることができる。
【００３０】
そして、例えば、複数本の電線を束ねてコルゲートチューブに通した後、コルゲートチューブの外周をバンド部２０で包み、バンド部２０の先端部からバンド通し孔４５にコルゲートチューブが固定される長さだけ挿通することにより、電線束を所定の位置に配索することができる。
【００３１】
本実施形態によれば、筒部５０外側の支持片６０の基端部６０Ａは、筒部５０の内側の係止爪５５が突出する部分とほぼ同じ位置に形成されているため、支持片６０からの力が係止爪５５に及びやすく、ボルト用クリップ１０のスタッドボルトに対する保持力を強くすることができる。
【００３２】
また、筒部５０は、一対のスリット状の切欠部５４を設けることにより形成される撓み片５３を有し、この撓み片５３の内面側に係止爪５５が形成されるとともに、前記撓み片５３の外面側から支持片６０が延出されている。
撓み片５３に係止爪５５が形成されるため、スタッドボルトの軸部が筒部に挿入しやすくなる。また、撓み片５３から、支持片６０が延出されるため、支持片６０からの力を係止爪５５に及ぼしやすくなる。
【００３３】
さらに、支持片６０は、筒部５０のうちボディ１側の端部５０Ａを超えて延出されているから、平板状の部材を被取付部材とする本実施形態のような場合に、ボルト用クリップ１０のスタッドボルトに対する保持力を強くすることができる。
【００３４】
また、筒部５０の端部５０Ａがボディ１に当接するまで筒部５０に軸部２を挿し込めば、ボルト用クリップ１０がスタッドボルトに対して保持力を生じさせて取り付けられる。したがって、作業者がボルト用クリップ１０を挿し込む深さ（保持力を生じさせることができる深さ）を調整する必要がなくなる。
【００３５】
＜他の実施形態＞
本発明は上記記述及び図面によって説明した実施形態に限定されるものではなく、例えば次のような実施形態も本発明の技術的範囲に含まれる。
（１）上記実施形態では、支持片６０がボディ１（被取付部材）の面に当接してから、更に作業者が筒部５０の端部５０Ａがボディ１（被取付部材）の面に当接するまで押し付けることで、係止爪５５の係止力が付勢される構成であったが、筒部５０の端部５０Ａがボディ１（被取付部材）の面に当接するまで作業者が押し付けないものであってもよい。即ち、筒部５０の端部５０Ａがボディ１（被取付部材）の面に当接していなくても、支持片を介して必要な保持力が得られるように構成されているものであってもよい。
【００３６】
（２）上記実施形態では、筒部５０に一対のスリット状の切欠部５４を設けることにより撓み片５３を形成する構成としたが、撓み片５３を有さないものでもよい。具体的には、円筒形状の筒部５０の内周から突出する係止爪５５を設けるとともに、筒部５０の外周から支持片６０が延出されるものでもよい。この場合には、筒部５０の壁部５１（壁部５１のうち、係止爪５５を有する部分の近傍及び支持片６０の基端部６０Ａを有する部分の近傍）自体が弾性変形する。
【００３７】
（３）被取付部材として車両のボディ１に取り付けることとしたが、車両の他のフレーム等や、車両以外を被取付部材としてもよい。
【００３８】
（４）支持片６０は、筒部５０の内周面の係止爪５５の位置とほぼ同じ位置となる筒部５０の外周面から延出される構成としたが、これに限られない。例えば、係止爪５５の位置とほぼ同じ位置でなく、筒部５０内周面の係止爪５５の位置の近傍の位置（支持片からの力を受ける位置）となる筒部５０の外周面から支持片が延出されていてもよい。
このようにしても、支持片の基端部は、係止爪５５の近傍に形成されているため、支持片からの力が係止爪５５に及びやすく、ボルト用クリップ１０のスタッドボルトに対する保持力を強くすることができる。
【００３９】
（５）支持片６０は、筒部５０のうちボディ１（被取付部材）側の端部を超えて延出されている構成としたが、これに限られず、支持片が筒部５０のうち被取付部材側の端部に先立って被取付部材に当接するものであればよい。
一般に平板状の部材を被取付部材とすることが多いが、平板状でない部材を被取付部材とする場合（例えば、被取付部材が、筒部５０が当接する軸部２の周りよりも支持片が当接する部分が盛り上がっている形状である場合）には、支持片が筒部５０のうち被取付部材側の端部５０Ａと同じ長さ（軸方向に同じ位置）又はそれよりも短い長さ（軸方向に短い位置）しか延出されていなくても、支持片が筒部５０のうち被取付部材側の端部５０Ａに先立って被取付部材に当接するものであればよい。
【００４０】
（６）なお、支持片６０の端面６０Ｂに摩擦の生じやすい摩擦材や粘着材等を塗布したり、ボルト用クリップの材質に摩擦が生じやすいものを選択することにより、支持片６０の端面６０Ｂがボディ１（被取付部材）の面で滑らないようにして、支持片を介した力が係止爪５５に及びやすいようにしてもよい。
【図面の簡単な説明】
【００４１】
【図１】実施形態１のボルト用クリップの上面図
【図２】ボルト用クリップの側面図
【図３】ボルト用クリップの下面図
【図４】ボルト用クリップの前面図
【図５】ボルト用クリップの後面図
【図６】ボルト用クリップの軸部が筒部に挿入される前を表す断面図
【図７】支持片がボディに当接するまで軸部が筒部に挿入された状態を表す断面図
【図８】筒部の下端部がボディに当接するまで軸部が筒部に挿入された状態を表す断面図
【符号の説明】
【００４２】
１…ボディ（被取付部材）
２…軸部
１０…ボルト用クリップ
２０…バンド部
３０…ヘッド部
５０…筒部
５０Ａ…下端部
５２…係止部
５３…撓み片
５５…係止爪
６０…支持片
６０Ａ…支持片の基端部
６０Ｂ…支持片の端面
【図１】
2010138966.tif 000003
【図２】
2010138966.tif 000004
【図３】
2010138966.tif 000005
【図４】
2010138966.tif 000006
【図５】
2010138966.tif 000007
【図６】
2010138966.tif 000008
【図７】
2010138966.tif 000009
【図８】
2010138966.tif 000010